(57)【特許請求の範囲】
【請求項１】
上蓋部材側に設けられたカシメ上蓋部と、下蓋部材側に設けられたカシメ下蓋部とによって構成された結合部に、カシメ部材を弾性的に挿入して引き抜き不能に締結位置に押し込むことにより、前記カシメ上蓋部とカシメ下蓋部とを締結して前記カシメ上蓋部とカシメ下蓋部を開放不能に閉鎖する基板ボックスを備える遊技機において、
前記カシメ部材は、
円柱状の胴体部の中間部から突設したカシメ係合部と、該カシメ係合部よりも後端側であり、前記胴体部の一部から側方に突設したロック片と、前記胴体部の後端に前記胴体部よりも半径が大きな円柱状に形成されて、外部から操作可能な操作部と、を設け、
前記カシメ上蓋部は、
前記カシメ部材を挿通可能なカシメ開口部と、該カシメ開口部と連設し前記ロック片が通過可能なロック片通過口と、前記ロック片通過口からの前記ロック片を誘導可能なロック片誘導空間と、を形成し、
前記カシメ下蓋部は、
円筒状の被係合筒部を形成し、該被係合筒部内側に向けてフック部が突出形成され、
前記カシメ部材を前記カシメ上蓋部の前記カシメ開口部に挿通させ、前記ロック片が前記ロック通過口を通過した後に、前記カシメ部材を水平方向に回転させることにより、前記ロック片を前記ロック片誘導空間に沿って誘導させ、前記ロック片が前記ロック片誘導空間の側壁に当接した位置から前記カシメ下蓋部側に押圧することにより、前記カシメ係合部を前記カシメ下蓋部の前記フック部に係止させ、前記操作部を前記カシメ上蓋部の前記カシメ開口部周縁と当接させることにより、前記カシメ上蓋部とカシメ下蓋部とを締結する基板ボックスを備えることを特徴とする遊技機。
【請求項２】
前記カシメ部材は、
先端が開口した円柱状の空間を内部に形成し、該空間にパッケージした接着剤を内包し、
前記カシメ下蓋部は、
前記被係合筒部の中心部に先端を尖らせた状態で立設したカシメ係合柱部を備え、
前記カシメ上蓋部と前記カシメ下蓋部とを前記カシメ部材を押圧することにより締結する際に、前記カシメ係合柱部の先端で前記パッケージした接着剤を破り、前記カシメ部材と前記カシメ下蓋部を接着する基板ボックスを備えることを特徴とする請求項１記載の遊技機。
【請求項３】
前記カシメ部材は、
前記操作部に、前記カシメ部材の回転位置を識別可能な回転位置表示部を形成し、
前記カシメ上蓋部は、
前記回転位置表示部と対応した位置に、前記カシメ部材の仮止め状態を表示可能な仮止め位置表示部と、前記カシメ部材が押圧可能であることを表示する押圧可能位置表示部と、を形成した基板ボックスを備えることを特徴とする請求項１又は２記載の遊技機。
【発明の詳細な説明】
【技術分野】
【０００１】
本発明は、下蓋部材に対して上蓋部材を開閉不能に閉蓋するための基板ボックスを備える遊技機に関する。
【背景技術】
【０００２】
例えば、近時のパチスロ機やパチンコ機等の遊技機には、制御基板が装着されている。
この制御基板には、遊技機全体の遊技動作を制御するためのＲＯＭ等の電子部品が搭載されている。
したがって、この制御基板が不正に交換されたり、改造されたりした場合には、大量のメダルやパチンコ玉が不当に獲得されるおそれがあり、大きな被害を被ることになる。
【０００３】
このような制御基板の不当な交換を防止するために、制御基板は、基板ボックスに封印された状態で、遊技機に取り付けられている。
この基板ボックスは、制御基板が収納される下蓋部材と上蓋部材とによって構成されている。
下蓋部材に制御基板を収納して、上蓋部材で蓋をし、さらに下蓋部材と上蓋部材とを締結ピンで開放不能に結合することによって、基板ボックス内に制御基板を封印するのである。
【０００４】
こうして一旦、封印が行われると、基板ボックスを開放するためには、少なくともその一部を破壊しなければならない。
つまり、基板ボックスを破壊することなく、中の制御基板に細工を加えたり、制御基板をケース外部に取り出したりすることは不可能となる。
したがって、基板ボックスの破壊の痕跡の有無を調べることで、制御基板に不当に手が加えられたか否かを識別することができる。
【０００５】
ところで、上述の基板ボックスは、制御基板の点検や修理のために開放し、その点検・修理後には再度、閉鎖する作業が必要となる。
【０００６】
そこで、特殊な器具等を使用せずに、仮止め状態の締結ピンの頭部を押し込むだけの簡単な締結動作で基板ボックスの閉鎖作業を行うことができる基板ボックスがあり、そのような基板ボックスは、一旦、締結ピンが不要に結合部に挿着された場合、つまり誤挿着された場合には、基板ボックスの開放時に切断する結合部が増加するとともに、再度の結合時に使用可能な結合部が減少してしまうことになる。
その、仮止め状態の締結ピンが誤って結合部に完全に挿入されてしまうのを防止するための基板ボックスが、下記の特許公開公報に記載されている。
【０００７】
【特許文献１】特開平２００４−８２９１号公報
【０００８】
しかしながら、上記特許文献１に記載された基板ボックスによると、締結ピンを押圧する場合には1方向への押圧のみで締結ピンを締結することは出来ず、誤って締結ピンを押圧しにくい点に関しては問題点を解決しているとは言えるが、締結ピンにより上蓋部材と下蓋部材を締結した後に、締結ピンを押圧した方向と逆の方向に力を加えることにより、一気に締結ピンが外れてしまう虞がある。その結果容易に制御基板や制御基板上の電子部品を交換され、不正な遊技が行われる可能性がある。
【発明の開示】
【発明が解決しようとする課題】
【０００９】
そこで、本発明は、締結ピンによる締結動作、ひいては基板ボックスの閉鎖作業を効率的に行うことができ、しかも仮止め状態の締結ピンの誤挿着を未然に防止することができるとともに、締結ピンの取り外しを困難にする基板ボックスを備える遊技機を提供することを目的とするものである。
【課題を解決するための手段】
【００１０】
上記課題を解決するために、請求項1に係る発明は、上蓋部材側に設けられたカシメ上蓋部と、下蓋部材側に設けられたカシメ下蓋部とによって構成された結合部に、カシメ部材を弾性的に挿入して引き抜き不能に締結位置に押し込むことにより、前記カシメ上蓋部とカシメ下蓋部とを締結して前記カシメ上蓋部とカシメ下蓋部を開放不能に閉鎖する基板ボックスを備える遊技機において、前記カシメ部材は、円柱状の胴体部の中間部から突設したカシメ係合部と、該カシメ係合部よりも後端側であり、前記胴体部の一部から側方に突設したロック片と、前記胴体部の後端に前記胴体部よりも半径が大きな円柱状に形成されて、外部から操作可能な操作部と、を設け、前記カシメ上蓋部は、前記カシメ部材を挿通可能なカシメ開口部と、該カシメ開口部と連設し前記ロック片が通過可能なロック片通過口と、前記ロック片通過口からの前記ロック片を誘導可能なロック片誘導空間と、を形成し、前記カシメ下蓋部は、円筒状の被係合筒部を形成し、該被係合筒部内側に向けてフック部が突出形成され、前記カシメ部材を前記カシメ上蓋部の前記カシメ開口部に挿通させ、前記ロック片が前記ロック通過口を通過した後に、前記カシメ部材を水平方向に回転させることにより、前記ロック片を前記ロック片誘導空間に沿って誘導させ、前記ロック片が前記ロック片誘導空間の側壁に当接した位置から前記カシメ下蓋部側に押圧することにより、前記カシメ係合部を前記カシメ下蓋部の前記フック部に係止させ、前記操作部を前記カシメ上蓋部の前記カシメ開口部周縁と当接させることにより、前記カシメ上蓋部とカシメ下蓋部とを締結する基板ボックスを備えることを特徴とする。
【００１１】
また、請求項２に係る発明は、前記カシメ部材は、先端が開口した円柱状の空間を内部に形成し、該空間にパッケージした接着剤を内包し、前記カシメ下蓋部は、前記被係合筒部の中心部に先端を尖らせた状態で立設したカシメ係合柱部を備え、前記カシメ上蓋部と前記カシメ下蓋部とを前記カシメ部材を押圧することにより締結する際に、前記カシメ係合柱部の先端で前記パッケージした接着剤を破り、前記カシメ部材と前記カシメ下蓋部を接着する基板ボックスを備えることを特徴とする。
【００１２】
また、請求項３に係る発明は、前記カシメ部材は、前記操作部に、前記カシメ部材の回転位置を識別可能な回転位置表示部を形成し、前記カシメ上蓋部は、前記回転位置表示部と対応した位置に、前記カシメ部材の仮止め状態を表示可能な仮止め位置表示部と、前記カシメ部材が押圧可能であることを表示する押圧可能位置表示部と、を形成した基板ボックスを備えることを特徴とする。
【発明の効果】
【００１３】
請求項1に係る遊技機によれば、上蓋部材側に設けられたカシメ上蓋部と、下蓋部材側に設けられたカシメ下蓋部とによって構成された結合部に、カシメ部材を弾性的に挿入して引き抜き不能に締結位置に押し込むことにより、前記カシメ上蓋部とカシメ下蓋部とを締結して前記カシメ上蓋部とカシメ下蓋部を開放不能に閉鎖する基板ボックスを備える遊技機において、前記カシメ部材は、円柱状の胴体部の中間部から突設したカシメ係合部と、該カシメ係合部よりも後端側であり、前記胴体部の一部から側方に突設したロック片と、前記胴体部の後端に前記胴体部よりも半径が大きな円柱状に形成されて、外部から操作可能な操作部と、を設け、前記カシメ上蓋部は、前記カシメ部材を挿通可能なカシメ開口部と、該カシメ開口部と連設し前記ロック片が通過可能なロック片通過口と、前記ロック片通過口からの前記ロック片を誘導可能なロック片誘導空間と、を形成し、前記カシメ下蓋部は、円筒状の被係合筒部を形成し、該被係合筒部内側に向けてフック部が突出形成され、前記カシメ部材を前記カシメ上蓋部の前記カシメ開口部に挿通させ、前記ロック片が前記ロック通過口を通過した後に、前記カシメ部材を水平方向に回転させることにより、前記ロック片を前記ロック片誘導空間に沿って誘導させ、前記ロック片が前記ロック片誘導空間の側壁に当接した位置から前記カシメ下蓋部側に押圧することにより、前記カシメ係合部を前記カシメ下蓋部の前記フック部に係止させ、前記操作部を前記カシメ上蓋部の前記カシメ開口部周縁と当接させることにより、前記カシメ上蓋部とカシメ下蓋部とを締結する基板ボックスを備えるので、上蓋部材と下蓋部材を、工具等を使わずに締結することが出来る。
【００１４】
また、カシメ部材でカシメ上蓋部とカシメ下蓋部を締結する場合に、カシメ部材をカシメ下蓋部のカシメ開口部に挿入した後に、カシメ部材の操作部を水平方向に回動させた後に、再び押圧することで締結完了となるため、カシメ部材でカシメ上蓋部とカシメ下蓋部を誤って締結することを防止することが出来る。
【００１５】
また、基板ボックスの中の基板に対して不正な行為を行うためにカシメ部材を外して基板ボックスを開放しようとしてもカシメ部材を押圧した方向と逆の方向に力を加えるだけではカシメ部材を引き抜くことが出来ないので、その不正行為を防止することが出来る。また、カシメ係合部を被係合筒部内側に向けてフック部が突出形成されたフック部に係止させるので、結合部の外側からフックを外しにくい。
【００１６】
請求項２に係る遊技機によれば、前記カシメ部材は、先端が開口した円柱状の空間を内部に形成し、該空間にパッケージした接着剤を内包し、前記カシメ下蓋部は、前記被係合筒部の中心部に先端を尖らせた状態で立設したカシメ係合柱部を備え、前記カシメ上蓋部と前記カシメ下蓋部とを前記カシメ部材を押圧することにより締結する際に、前記カシメ係合柱部の先端で前記パッケージした接着剤を破り、前記カシメ部材と前記カシメ下蓋部を接着する基板ボックスを備えるので、より確実に上蓋部材と下蓋部材を閉蓋することが出来る。
【００１７】
また、カシメ部材内部の空間にパッケージした接着剤を内包しているので、締結後も接着剤が結合部外部に漏れにくい。また、カシメ上蓋部とカシメ下蓋部とをカシメ部材を押圧することにより締結する際に、カシメ係合柱部の先端で前記パッケージした接着剤を破り、カシメ部材とカシメ下蓋部を接着してカシメ上蓋部とカシメ下蓋部を締結することが出来るので、別に接着剤を注入する等の工程が必要ないので作業効率がよい。
【００１８】
請求項３に係る遊技機によれば、前記カシメ部材は、前記操作部に、前記カシメ部材の回転位置を識別可能な回転位置表示部を形成し、前記カシメ上蓋部は、前記回転位置表示部と対応した位置に、前記カシメ部材の仮止め状態を表示可能な仮止め位置表示部と、前記カシメ部材が押圧可能であることを表示する押圧可能位置表示部と、を形成した基板ボックスを備えるので、仮止め位置や、カシメ上蓋部とカシメ下蓋部がカシメ部材を押圧することで締結可能な位置を一目で分かるため誤操作を防止することが出来る。
【発明を実施するための最良の形態】
【００１９】
次に、本発明に係る遊技機の実施形態を添付図面に基づき詳細に説明する。図１に示すのは、パチンコ遊技を行える遊技機１の正面図で、遊技機本体１ａの側方に遊技球を貸し出すためのプリペイドカードを処理するカードユニット１ｂを備えるものとしてある。
【００２０】
遊技機本体１ａは、機枠２の前面側に額縁状の前面枠３を開閉可能に設け、該前面枠３に開設した窓部の前面側にガラス枠４と開閉扉５を開閉可能に軸着し、窓部の背面側には窓部を塞ぐようにして遊技盤６を装着し、前面枠３の下部前面側に球受皿７と発射操作ハンドル８などを取り付けてある。
【００２１】
また、開閉扉５には遊技球貯留手段として球供給皿９を設け、該球供給皿９より打球発射機構（図示省略）へ供給された遊技球が弾発され、遊技盤６の遊技部６ａ（主として、ガラス枠４の装飾部材４ａにより覆われていない遊技窓部４ｂから遊技者が視認できる状態になっている領域）へ到達する。
なお、遊技部６ａには、障害釘が植設されると共に、大型の表示装置６ｂや球の入賞状態が変化する変動入賞装置６ｃといった大型の遊技装置のほか、種々の入賞具や風車（図示略）が配置されている。
【００２２】
また、プリペイドカードで遊技球を借り受ける場合、カードユニット１ｂのカード挿入口１０にプリペイドカードを挿入すると、そのプリペイドカードでの球貸が可能であれば使用可能な度数が度数表示器１１に表示され、球貸スイッチ１２を操作する毎に単位度数分（例えば、１００円に相当する１度数分）の球貸動作が行われる。
なお、カード返却スイッチ１３が操作されると、プリペイドカードがカード挿入口１０より排出される。
【００２３】
上述した遊技機１の裏側には、図２に示すように、遊技機としての諸機能を実現するための機構（例えば、島設備より供給される遊技球を受けて貯留して球貸要求に応じた球排出や賞球排出を行う機構、遊技盤に設けられた各種入賞口へ入賞して回収された遊技球や何れの入賞口にも入賞せずにアウト口から回収された遊技球を機外の回収球搬送路へ導く遊技球回収機構など）のほか、遊技盤６に設けた遊技装置の動作制御などを行うことで遊技の進行を統括的に制御する遊技制御装置１４、球排出や打球の発射制御を行う排出・発射制御装置１５、各部へ所定の電源を供給する電源装置１６等を適所に設けてある。
なお、本実施形態における遊技制御装置１４は、遊技盤６の裏面下方部に装着される遊技盤裏面構成部材１７に着脱可能に取り付けるものとしてある。
【００２４】
次に、上述した遊技制御装置１４の詳細な構造について、図３〜図１０に基づいて説明する。
なお、遊技制御装置１４は、遊技機本体１ａの裏面側（正確には、遊技盤６の裏面に取り付けられる遊技盤裏面構成部材１７の裏面側）に取り付けられるため、取り付け時には作業者に向う面（正面）が、取り付け後には遊技機の背面側に位置することとなるが、以下の説明においては、取り付け作業を基準に考え、遊技盤裏面構成部材１７に取り付けられる側を背面、その逆の面を前面として説明する。
【００２５】
図３は、遊技制御装置１４の正面図であり、また、遊技制御装置１４は、図４に示すように、遊技機の動作に関わる電気的制御を実行するための電子部品とコネクタを実装した略四角形状の遊技制御基板２０を、下蓋部材３０と上蓋部材４０よりなる基板ボックスに内包したものである。
【００２６】
基板ボックスは、略板状の下蓋部材３０と、該下蓋部材３０によって塞がれる略四角形状の開口を一面に有し、該開口より遊技制御基板２０を収納する収納部を形成した上蓋部材４０と、これら下蓋部材３０と上蓋部材４０とを結合する結合手段とから構成する。
また、上蓋部材４０の上面に基板管理番号シールや遊技制御基板シールが貼られている。
なお、本構成例で示す下蓋部材３０および上蓋部材４０は、透光性の合成樹脂からなるものとし、内部に収容された遊技制御基板２０を外から視認できる。
なお、基板ボックスは、平板な下蓋部材３０を下にして置かれる状態が常態となるので、内部に収納された遊技制御基板２０を基準にした場合、上蓋部材４０は上部に、下蓋部材３０は下部に位置するものとなる。
【００２７】
上蓋部材４０の開口部から、遊技制御基板２０を電子部品等が下方に位置した状態で開口部を塞ぐように載置し、遊技制御基板２０の裏面側からビス止めすることで上蓋部材４０に取り付ける。
【００２８】
また、図４に示すように上蓋部材４０は遊技制御基板２０に設けたコネクタ４３を挿通するコネクタ挿通開口部４３ｂを各々設け、遊技制御基板２０を上蓋部材４０に取り付ける際には、コネクタ挿通開口部４３ｂにコネクタ４３を挿通する。また、遊技制御基板２０の両面に電子部品を設けても良い。
【００２９】
また、上蓋部材４０側壁の外側には、カシメ上蓋部５１を形成し、後述する下蓋部材３０と結合するための結合部として機能する。
また、図4に示すように、カシメ上蓋部５１を備える側壁と直交する辺の側壁の外側には、断面がＬ字状の係止片４７を複数設け、これら係止片４７が下蓋部材３０と係合することで、下蓋部材３０と上蓋部材４０との結合位置が規制される。
【００３０】
また、複数の係止片４７がそれぞれ係止するための被係止部３３ａを下蓋部材３０の左右両側壁から外側に突出して設け、該被係止部３３ａの内部構造は断面略Ｌ字状の空間を形成し、被係止部３３ａは上方に形成された開口部から上蓋部材４０の係止片４７を受け入れ、上蓋部材４０を下蓋部材３０に取り付ける場合、該係止片４７が被係止部３３ａの底面に到達した後、前記断面略Ｌ字状の空間を横方向へスライドすることで上蓋部材４０と下蓋部材３０を係止する。
【００３１】
また、上蓋部材４０は、複数（例えば４つ）のカシメ上蓋部５１…を設け、下蓋部材３０は、上蓋部材４０と下蓋部材３０を係合した際に、カシメ上蓋部５１に対応する位置にカシメ下蓋部５２を設けている。
カシメ上蓋部５１は、上蓋部材４０上面と平行なベース面５１ａを有し、複数のカシメ上蓋部５１を一連に形成している。このカシメ上蓋部５１とカシメ下蓋部５２は、取り外し不可能な状態で下蓋部材３０と上蓋部材４０とを一体にするためのもので、その詳細は後に詳述する。なお、上蓋部材４０と下蓋部材３０の取り付け方法は左右のスライド方式でなく、上下方向から上蓋部材と下蓋部材を合わせる方法でも良い。
【００３２】
なお、上記した係合手段のみによって下蓋部材３０を上蓋部材４０に係合させた場合、反対側へ下蓋部材３０をスライドさせると、再び下蓋部材３０を取り外せる状態となる。このように、遊技制御装置の組み立て作業においては、適正な係合位置に保持されることが好ましい。
【００３３】
上述したような係合手段により、下蓋部材３０を上蓋部材４０に取り付けた後、これらの再分離を困難にする結合手段として、上蓋部材４０に設けたカシメ上蓋部５１…と、これらと対になるよう下蓋部材３０に設けた４つのカシメ下蓋部５２…を用いる。
図５に示すように、下蓋部材３０を上蓋部材４０に取り付けた状態においては、カシメ上蓋部５１のカシメ開口部４８ａからカシメ下蓋部５２の被係合筒部の被係合穴部３５ａが連通し、カシメ部材５０でカシメ上蓋部５１とカシメ下蓋部５２を締結する。
【００３４】
次に図５〜１０を参照して、本実施の形態に係るケースの締結構造について説明する。
【００３５】
図５はカシメ下蓋部５２とカシメ上蓋部５１をカシメ部材５０で係止する場合の分解斜視図、図６（ａ）（ｂ）は、カシメ下蓋部５２とカシメ上蓋部５１をカシメ部材５０で係止する場合の上面図と側面図、図７（ａ）（ｂ）は、図６（ａ）（ｂ）からの続きでカシメ下蓋部５２とカシメ上蓋部５１をカシメ部材５０で係止する場合の上面図と側面図、図８（ａ）（ｂ）はカシメ下蓋部５２とカシメ上蓋部５１をカシメ部材５０で係止する場合の断面図であり、図８（ａ）（ｂ）がそれぞれ図7のＡ−Ａ断面とＢ−Ｂ断面に対応している、図９（ａ）はカシメ上蓋部５１を上側から見た図、図９（ｂ）はカシメ上蓋部５１をカシメ下蓋部５２側から見た図、図９（ｃ）はカシメ下蓋部５２をカシメ上蓋部５１側から見た図である、図１０は下蓋部材３０のカシメ下蓋部５２の拡大図である。
【００３６】
以下、カシメ部材５０（締結ピン）、カシメ上蓋部５１、カシメ下蓋部５２の順に説明する。
【００３７】
カシメ部材５０は、これら図５〜１０に示すように、筒状で軸を中心としたほぼ回転体形状であり、係止用のロック片５０ｂが側部に突出している。カシメ部材５０は、例えば、合成樹脂や金属などにより形成されている。
【００３８】
カシメ部材５０は、図８の下方を先端、上方を後端とすると、少なくとも先端から中間部にかけて、先端部が開口した状態で内部に円柱状の空間を形成した（図８（ａ）（ｂ））係合筒部５０ｄを形成し、中間部外周にカシメ係合部５０ｅを先端側ほど直径が小さくなる部分的に円錐状に突出形成し、カシメ係合部５０ｅよりも後端側に他の円柱部より径が小さく、他の係合筒部５０ｄより凹んだカシメ凹部５０ｃを形成し、カシメ凹部５０ｃより後部外周の一部にカシメ下蓋部５２とカシメ上蓋部５１をカシメ部材５０で係止するためのロック片５０ｂを突出形成し、図5に示すように最後端部分に作業員等がカシメ部材５０を操作するための操作部５０ａを係合筒部５０ｄより外側に大きく広がるように、胴体部より半径が大きな円柱状に形成した。また、操作部５０ａの操作面にマイナス形状の凹部である操作凹部５０ｆを形成し、なお、係合筒部５０ｄは中間部まででなく操作部５０ａ近傍まで続いていても良い。
【００３９】
図５に示すように、カシメ上蓋部５１は、ベース面５１ａにカシメ開口部５１ｉを形成し、そのカシメ開口部５１ｉと連接してロック片通過口５１ｃを形成し、カシメ開口部５１ｉ及びロック片通過口５１ｃ外周から所定間隔開けて、カシメ部材５０が挿通する方向と逆側にカシメ起立壁部５１ｄを立設し、図６に示すように、概略カシメ開口部５１ｉに沿って、カシメ下蓋部５２側にカシメ上蓋筒部５１ｆを立設し、該カシメ上蓋筒部５１ｆの一部を他の部分より下方に向けて長く立設し、カシメ上蓋係合部５１ｈを形成すると共に、カシメ上蓋筒部５１ｆに、ロック片通過口５１ｃから連続して、ロック片許容空間部５１ｅを形成し、ロック片許容空間部５１ｅは、カシメ上蓋筒部５１ｆ側方から逆Ｌ字状に開口して形成する。
【００４０】
また、下蓋部材３０を上蓋部材４０にスライドして取り付けた場合、カシメ上蓋係合部５１ｈがカシメ下蓋部５２の被係合筒部５２ａに当接して上蓋部材４０と下蓋部材３０と組み付けの位置決めを行う。上蓋部材４０と下蓋部材３０をスライドして取り付ける場合は、図９（ｂ）（ｃ）に示す通りカシメ上蓋部５１のカシメ上蓋係合部５１ｈに対応する位置にはカシメ下蓋部５２のカシメ部材被係合部５２ｄがないためにカシメ部材被係合部５２ｄが外側に湾曲してもカシメ上蓋係合部５１ｈに当接する心配はない。
【００４１】
カシメ下蓋部５２は、下面からカシメ上蓋部５１側に円筒状の被係合筒部５２ａを立設し、被係合筒部５２ａは、図９（ｃ）のように、中心部に円柱状のカシメ係合柱部５２ｆを立設し、該カシメ係合柱部５２ｆから所定間隔開けて被係合筒部５２ａ上部の開口部に連接するカシメ下蓋段部５２ｅを形成し、被係合筒部５２ａの一部にスリット（6本）を入れ、該スリットの間でカシメ部材被係合部５２ｄを外周方向外側に湾曲可能であり、被係合筒部５２ａ内側にフック部５２ｇが突出形成されたカシメ部材被係合部５２ｄを約１２０度間隔で設け、カシメ部材被係合部５２ｄ頂部は被係合筒部５２ａ頂部より低く形成されている。よって、カシメ部材被係合部５２ｄが外側に湾曲した際に、カシメ部材被係合部５２ｄの頂部または、フック部５２ｇがカシメ上蓋部５１に当接することがない。また、図５〜９では、わかりやすいようにカシメ下蓋部５２が下面を備えているように記載してあるが、図１０のように、下蓋部材３０の一側端に被係合筒部５２ａを4つ平行に並べ、それぞれ下蓋部材３０の本体側と下蓋部連結部５２ｉで連結されると共に、被係合筒部５２ａ同士をカシメ下蓋部連結部５２ｈで連結した。
【００４２】
締結部分を解除する場合は、下蓋部連結部５２ｉとそれに対応したカシメ下蓋部連結部５２ｈを切断する。それにより、被係合筒部５２ａが上蓋部材４０のカシメ上蓋部５１に結合された状態で上蓋部材４０を横方向にスライドし、基板ボックスを開放することが出来る。
【００４３】
上述のカシメ上蓋部５１とカシメ下蓋部５２は、例えば、合成樹脂によって成型することも出来る。この場合には、カシメ上蓋部５１は上蓋部材４０と一体的に成型すると良い。また、カシメ下蓋部５２は、下蓋部材３０と一体的に成型しても良い。カシメ部材５０は、樹脂成形でも金属でも良い。
【００４４】
以上説明した、カシメ上蓋部５１、カシメ下蓋部５２、カシメ部材５０において、カシメ部材５０をカシメ上蓋部５１のカシメ開口部５１ｉとロック片通過口５１ｃに挿通し、操作凹部５０ｆに爪を引っかけて、図６（ｂ）の左周り方向に回動すると、カシメ部材５０はベース面５１ａ裏面によりカシメ上蓋部５１の上方への移動が規制され、ロック片５０ｂがロック片ロック空間部５１ｇ（特許請求の範囲のロック片誘導空間に対応する。）に有りながら、上部に取り外すことも、そのまま押圧することも出来ない状態になる。ようするに、カシメ部材５０がカシメ上蓋部５１に仮止めされた状態になる。つまり、ロック片ロック空間部５１ｇはカシメ部材５０をカシメ上蓋部５１に仮止めするための仮止め手段として作用する。上記仮止めした状態では、図８（ａ）のようにカシメ部材５０下部はカシメ下蓋部５２のカシメ係合柱部５２ｆに挿入されている。
【００４５】
上記のように仮止めした状態から、図７（ａ）のように挿入したカシメ部材５０を左回りに回動させ、ロック片５０ｂをロック片ロック空間部５１ｇの側壁に当接させた状態で下方に押圧することで、カシメ部材５０とカシメ下蓋部５２とを締結し、上蓋部材４０と下蓋部材３０を閉鎖する。まず、カシメ部材５０を押圧するとカシメ部材５０のカシメ係合部５０ｅが図９（ｃ）に示すカシメ部材被係合部５２ｄのフック部５２ｇに当接し、そこからさらにカシメ部材５０を押圧するとカシメ部材被係合部５２ｄが外側に広がって、カシメ部材５０の通過を許容する。カシメ係合部５０ｅがフック部５２ｇを通過し終えると、このカシメ係合部５０ｅにフック部５２ｇが係合する。これにより、カシメ部材５０は抜け方向（図８の上方）には移動できなくなる。ここで、カシメ部材５０をさらに押し込んだとしても図８（ｂ）に示すように、カシメ係合柱部５２ｆの頂部が係合筒部５０ｄの底面に当接、或いは係合筒部５０ｄの先端とカシメ部材被係合部５２ｄの底面が当接、ロック片ロック空間部５１ｇの底面がロック片５０ｂに当接することで、それ以上の押し込みを禁止する。これにより、カシメ部材５０によるカシメ上蓋部５１とカシメ下蓋部５２との締結作業が完了し、カシメ部材５０によるカシメ上蓋部５１とを開閉不能に閉鎖して、内側に遊技制御基板２０を封印することが出来る。
【００４６】
図６（ａ）は、右図がカシメ下蓋部５２とカシメ上蓋部５１をカシメ部材５０で係止する場合の左側面図で左図がカシメ下蓋部５２とカシメ上蓋部５１をカシメ部材５０で係止する場合の上面図である。共に、カシメ下蓋部５２にカシメ上蓋部５１を重ねた状態でカシメ部材５０をカシメ開口部に挿入させる図である。
図６（ｂ）は、図６（ａ）の続きで、カシメ部材５０がカシメ上蓋部５１のカシメ開口部に挿入され、カシメ部材５０のロック片５０ｂがロック片通過口５１ｃを通過し、ロック片許容空間部５１ｅに収納された状態である。
図７（ａ）は、図６（ｂ）の続きで、カシメ部材５０の操作部５０ａに爪を宛て左回しに操作した状態である。
図７（ｂ）は、図７（ａ）の続きで、カシメ部材５０の操作部５０ａを押圧し、カシメ部材５０によるカシメ上蓋部５１とカシメ下蓋部５２との締結した状態である。
【００４７】
係合筒部５０ｄにカシメ係合柱部５２ｆが嵌っているので、カシメ上蓋部５１とカシメ下蓋部５２に横方向にずれる力が加わったとしても、横方向にずれることはない。
カシメ部材５０の操作部５０ａを操作する際に別の道具等が必要ないので、カシメ上蓋部５１とカシメ下蓋部５２の締結が容易である。
【００４８】
また、図９（ａ）はカシメ上蓋部５１を上方から見た図であり、図９（ｂ）はカシメ上蓋部５１を下方から見た図であり、図９（ｃ）カシメ下蓋部５２を上方から見た図である。
図９（ａ）はカシメ開口部５０ｉの周縁に操作停止面５１ｂが延設され、該操作停止面５１ｂの一部を切り欠くことでロック片通過口５１ｃを開設し、操作停止面５１ｂ及びロック片通過口５１ｃ周縁にカシメ起立壁部５１ｄを形成している。
図９（ｂ）では、中央部にカシメ開口部５０ｉを開設し、そのカシメ開口部５０ｉ周縁にカシメ上蓋筒部５１ｆを立設し、図６（ａ）（ｂ）に示すように当該カシメ上蓋筒部５１ｆの一部に他のカシメ上蓋筒部５１ｆよりも高いカシメ上蓋係合部５１ｈを立設し、上蓋部材４０と下蓋部材３０をスライドさせて取り付けた際にカシメ上蓋係合部５１ｈがカシメ下蓋部５２の被係合筒部５２ａに当接して係合する。
図９（ｃ）では、カシメ下蓋部５２から被係合筒部５２ａが立設され、被係合筒部５２ａは長手方向にスリットを複数形成し、そのスリット間にカシメ部材被係合部５２ｄを形成すると共に、被係合筒部５２ａの中心には、カシメ係合柱部５２ｆを所定高さ立設し、図６（ａ）（ｂ）に示すようにカシメ係合柱部５２ｆから所定間隔おいた外周部にカシメ下蓋段部５２ｅを形成した。
【００４９】
図１１（ａ）（ｂ）によると、カシメ部材５０の操作部５０ａにカシメ部材５０をどこまで回転させるかを示す回転位置表示部６０ｂとカシメ部材５０の回転方向を表示する回転方向表示部６０ａとを形成し、カシメ上蓋部５１はカシメ起立壁部５１ｄの一部にカシメ部材５０をカシメ上蓋部５１に仮止めするための目安となる仮止め位置表示部６０ｃと、カシメ部材５０を押圧可能な位置にあると共に、カシメ上蓋部５１とカシメ下蓋部５２を結合可能な位置を表示する押圧可能位置表示部６０ｄと、を形成する。カシメ部材５０を上蓋部材４０に仮止めする場合は、回転位置表示部６０ａとカシメ上蓋部５１の仮止め位置表示部６０ｃが重合する位置でカシメ部材５０の回転を停止する。この状態にすることにより、カシメ部材５０をカシメ上蓋部５１から引き抜くことが出来ないし、カシメ部材５０を押圧し、カシメ上蓋部５１とカシメ下蓋部５２を結合することも出来ない。よって、仮止め状態であればカシメ部材５０がカシメ上蓋部５１から外れる心配もなく、誤ってカシメ部材５０を押圧し、カシメ上蓋部５１とカシメ下蓋部５２を締結することもない。
【００５０】
仮止め位置表示部を設けることで、カシメ部材５０が抜けずなおかつ押しても締結しない仮止め位置が明確になる。また、押圧可能位置表示部６０ｄを表示することで、カシメ上蓋部５１とカシメ下蓋部５２とが結合可能な位置を表示することが出来るので、仮止め位置でカシメ部材５０を誤って押してしまうような間違い発生しづらい。
【００５１】
図１２では、カシメ部材５０は、係合筒部５０ｄの先端が開口した円柱状に空間を形成し、空間の底部分にパッケージした接着剤５０ｈを内包して設け、カシメ下蓋部５２は、カシメ係合柱部５２ｆの先端を鋭角的に突出した接着剤破裂用先端部５２ｊを形成し、カシメ部材５０で、カシメ上蓋部５１とカシメ下蓋部５２を結合する際にカシメ係合柱部５２ｆの先端がカシメ部材５０の接着剤をパッケージしたものに当接し、接着剤を包んでいたパッケージが破れ、接着剤がカシメ係合柱部５２ｆ近傍に流入し、カシメ上蓋部５１とカシメ下蓋部５２を強固に結合する。それにより、より強固に上蓋部材４０と下蓋部材３０を結合することが出来る。
【００５２】
以上本発明を実施形態に基づき具体的に説明したが、本明細書で開示された実施の形態は全て例示であって、開示された技術に限定されるものではないと考えるべきである。
すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【図面の簡単な説明】
【００５３】
【図１】本発明に係る遊技機の正面図である。
【図２】遊技機の裏面図である。
【図３】遊技機制御装置の正面図である。
【図４】遊技制御装置の分解斜視図である。
【図５】遊技制御装置の締結構造を示す分解斜視図である。
【図６】遊技制御装置の締結過程の前段説明図である。
【図７】遊技制御装置の締結過程の後段説明図である。
【図８】遊技制御装置の締結部分の断面図である。
【図９】カシメ上蓋部とカシメ下蓋部の図である。
【図１０】下蓋部材３０のカシメ下蓋部部分の拡大図である。
【図１１】回転位置表示部の説明図である。
【図１２】カシメ上蓋部とカシメ下蓋部の接着過程説明図である。
【符号の説明】
【００５４】
３０    下蓋部材
４０    上蓋部材
５０    カシメ部材
５０ａ  操作部
５０ｂ  ロック片
５０ｃ  カシメ凹部
５０ｄ  係合筒部
５０ｅ  カシメ係合部
５０ｆ  操作凹部
５０ｇ  エッジ部
５０ｈ  パッケージした接着剤
５１    カシメ上蓋部
５１ａ  ベース面
５１ｂ  操作停止面
５１ｃ  ロック片通過口
５１ｄ  カシメ起立壁部
５１ｅ  ロック片許容空間部
５１ｆ  カシメ上蓋筒部
５１ｇ  ロック片ロック空間部
５１ｈ  カシメ上蓋係合部
５１ｉ  カシメ開口部  
５２    カシメ下蓋部
５２ａ  被係合筒部
５２ｂ  下面
５２ｃ  被係合穴部
５２ｄ  カシメ部材被係合部
５２ｅ  カシメ下蓋段部
５２ｆ  カシメ係合柱部
５２ｇ  フック部
５２ｈ  カシメ下蓋部連結部
５２ｉ  下蓋部連結部
５２ｊ  接着剤破裂用先端部
６０ａ  回転方向表示部
６０ｂ  回転位置表示部
６０ｃ  仮止め位置表示部
６０ｄ  押圧可能位置表示部
【図１】
0005002764.tif 000002
【図２】
0005002764.tif 000003
【図３】
0005002764.tif 000004
【図４】
0005002764.tif 000005
【図５】
0005002764.tif 000006
【図６】
0005002764.tif 000007
【図７】
0005002764.tif 000008
【図８】
0005002764.tif 000009
【図９】
0005002764.tif 000010
【図１０】
0005002764.tif 000011
【図１１】
0005002764.tif 000012
【図１２】
0005002764.tif 000013